(57)【要約】【課題】適切サイズに加工することが容易なドア保護シートを提供する。【解決手段】ドア保護シートは、ドアに対して設置されるトレーニング用具との接触から当該ドアを保護するドア保護シートであって、折り筋と、上記折り筋を境とした一方側に位置した第１部分と、上記折り筋を境とした他方側に位置し、上記第１部分よりも広く、上記ドアの厚さに応じた位置で折られる第２部分と、を有する。【選択図】    図１
0003232976.tif 000002
【実用新案登録請求の範囲】
【請求項１】
ドアに対して設置されるトレーニング用具との接触から当該ドアを保護するドア保護シートであって、
折り筋と、
前記折り筋を境とした一方側に位置した第１部分と、
前記折り筋を境とした他方側に位置し、前記第１部分よりも広く、前記ドアの厚さに応じた位置で折られる第２部分と、
を有することを特徴とするドア保護シート。
【請求項２】
紙層の表面に樹脂層が重ねられたシート材からなることを特徴とする請求項１に記載のドア保護シート。
【請求項３】
前記樹脂層の側が山折りとなるように折られることを特徴とする請求項２に記載のドア保護シート。
【請求項４】
前記第１部分および前記第２部分の少なくとも一方に、当該ドア保護シートの説明が記載されていることを特徴とする請求項１から３のいずれか１項に記載のドア保護シート。
【請求項５】
前記説明として、当該ドア保護シートの折り曲げ手順が記載されていることを特徴とする請求項４に記載のドア保護シート。
【請求項６】
前記説明として、当該ドア保護シートの設置形態が図示されていることを特徴とする請求項４または５に記載のドア保護シート。
【請求項７】
紙層の表面に樹脂層が重ねられたシート材からなり、前記説明が当該樹脂層側に記載されていることを特徴とする請求項４から６のいずれか１項に記載のドア保護シート。
【請求項８】
前記説明は、当該ドア保護シートがドアに正しく設置された場合に天地が正しくなる向きで記載されていることを特徴とする請求項４から７のいずれか１項に記載のドア保護シート。
【考案の詳細な説明】
【技術分野】
【０００１】
本考案は、ドア保護シートに関する。
【背景技術】
【０００２】
近年、コロナ禍によって外出が制限されることに伴って在宅でのトレーニングが広まり、家庭用のトレーニング用具も普及してきている。
【０００３】
例えば、閉じたドアの上部と枠とのすき間にドアアンカーの一端を引っかけ、ドアアンカーの他端にゴムチューブを掛けて、ゴムチューブを引っ張って伸ばすことによりトレーニングを行うトレーニング用具が市販されている。
【考案の概要】
【考案が解決しようとする課題】
【０００４】
上述したトレーニング用具を用いたトレーニングでは、大きな力がゴムチューブに掛かる場合があり、その場合にドアアンカーがドアを損傷させることを防ぐために、ドアを保護するドア保護シートが望まれている。しかしながら、ドアを的確に保護するためにはドアのサイズに合わせた適切なサイズのドア保護シートが必要であり、ユーザが容易に適切サイズのドア保護シートを得るための工夫が望まれている。
本考案は、適切サイズに加工することが容易なドア保護シートを提供することを目的とする。
【課題を解決するための手段】
【０００５】
上記目的を達成する本考案のドア保護シートは、ドアに対して設置されるトレーニング用具との接触から当該ドアを保護するドア保護シートであって、折り筋と、上記折り筋を境とした一方側に位置した第１部分と、上記折り筋を境とした他方側に位置し、上記第１部分よりも広く、上記ドアの厚さに応じた位置で折られる第２部分と、を有することを特徴とする。
【０００６】
このようなドア保護シートによれば、上記折り筋によって容易に形成できる折り目をドアの縁に沿わせて基準とすることで、上記第２部分をドアの厚さに応じた適切サイズに容易に折ることができる。つまり、ユーザは、ドア保護シートを折って自宅のドアのサイズに合った適切サイズに加工することができる。このように得られる適切サイズのドア保護シートにより、ドアが的確に保護される。
【０００７】
上記ドア保護シートは、紙層の表面に樹脂層が重ねられたシート材からなることが望ましい。このような重層構造のシート材からなるドア保護シートによれば、耐久性が高い。
【０００８】
また、上記重ね合わせ構造のドア保護シートは、上記樹脂層の側が山折りとなるように折られることが望ましい。樹脂層が外向きに折られることで、トレーニング用具と接触するのが樹脂層側となり、ドアの保護力に優れる。
【０００９】
上記ドア保護シートは、上記第１部分および上記第２部分の少なくとも一方に、当該ドア保護シートの説明が記載されていることも望ましい。加工や設置などといったドア保護シートの使用に際してドア保護シートから目を離すこと無く説明を確認することができるのでドア保護シートの使用が容易である。
【００１０】
説明が記載された上記ドア保護シートでは、上記説明として、当該ドア保護シートの折り曲げ手順が記載されていてもよく、あるいは、上記説明として、当該ドア保護シートの設置形態が図示されていてもよい。折り曲げ手順が記載されたドア保護シートは、ドア保護シートから目を離さずに容易に折り曲げ加工を行って適切なサイズのドア保護シートを得ることができる。また、設置形態が図示されたドア保護シートは、ドア保護シートから目を離さずにドア保護シートを適切な箇所に設置することができる。
【００１１】
また、説明が記載された上記ドア保護シートにおいて、紙層の表面に樹脂層が重ねられたシート材からなり、前記説明が当該樹脂層側に記載されていることも好ましい。説明が樹脂層側に記載されていることにより、樹脂層側を外側に向けた望ましい折り加工が容易に実現される。
【００１２】
更に、説明が記載された上記ドア保護シートにおいて、上記説明は、当該ドア保護シートがドアに設置された場合に天地が正しくなる向きで記載されていることも好ましい。天地が正しい説明によりユーザは容易に説明を理解することができ、説明に基づいて適切な使用を容易に行うことができる。
【考案の効果】
【００１３】
本考案によれば、ユーザはドア保護シートを適切サイズに容易に加工することができる。
【図面の簡単な説明】
【００１４】
【図１】本考案のドア保護シートの第１実施形態を示す図である。
【図２】ドア保護シートの断面構造を示す図である。
【図３】第１実施形態のドア保護シートの使用箇所を示す図である。
【図４】第１実施形態のドア保護シートの設置状態を示す図である。
【図５】ドア保護シートの折り曲げ手順を示す図である。
【図６】本考案のドア保護シートの第２実施形態を示す図である。
【図７】第２実施形態のドア保護シートの使用箇所を示す図である。
【図８】第２実施形態のドア保護シートの設置状態を示す図である。
【考案を実施するための形態】
【００１５】
本考案の実施形態について以下図面を参照して説明する。但し、以下の説明が不必要に冗長になるのを避け、当業者の理解を容易にするため、必要以上に詳細な説明は省略する場合がある。例えば、既によく知られた事項の詳細説明や実質的に同一の構成に対する重複説明を省略する場合がある。また、先に説明した図に記載の要素については、後の図の説明において適宜に参照する場合がある。
図１は、本考案のドア保護シートの第１実施形態を示す図である。
【００１６】
第１実施形態のドア保護シート１００は、１枚のシート材に折り筋１１０が付けられて第１部分１２０と第２部分１３０とに区分けされた構造を有し、第２部分１３０は第１部分１２０よりも広い。
【００１７】
ドア保護シート１００の第１部分１２０には、ドア保護シート１００の名称１０１と、ドア保護シート１００の役割に関する説明文１０２と、ドア保護シート１００の設置形態を図示した説明図１０３が表面に印刷されている。
【００１８】
ドア保護シート１００の第２部分１３０には、設置時におけるドア保護シート１００の形状を図示した説明図１０４と、形状の説明文１０５と、ドア保護シート１００の折り曲げ手順を図示した説明図１０６と、ドア保護シート１００の折り曲げ手順を表した説明文１０７が印刷されている。
図２は、ドア保護シートの断面構造を示す図である。
【００１９】
ドア保護シート１００は、紙の層１４０と樹脂の層１５０とが重ね合わされた構造を有し、言い換えると、紙の層１４０の表面が樹脂の層１５０でコーティングされている。以下の説明では、ドア保護シート１００の表裏面のうち、樹脂の層１５０側を「表側」と称し、紙の層１４０側を「裏側」と称する場合がある。
図３は、第１実施形態のドア保護シートの使用箇所を示す図である。
第１実施形態のドア保護シート１００は、ゴムチューブ式のトレーニング用具２１０の使用時にドア２２０を保護するために使用される。
【００２０】
ゴムチューブ式のトレーニング用具２１０は、使用時にユーザ２００が、ドアアンカー２１１（図４参照）をドア２２０の上部２３０に掛けて設置する。そして、ユーザ２００はトレーニング用具２１０を引っ張ってトレーニングを行う。この際にドア２２０の上部２３０とトレーニング用具２１０との擦れ合いなどでドア２２０が損傷することを防ぐため、ドア２２０の上部２３０にドア保護シート１００が設置される。
図４は、第１実施形態のドア保護シートの設置状態を示す図である。
図４には、設置時のドア保護シート１００の形状（Ａ）と、ドア２２０に対するドア保護シート１００の設置状態（Ｂ）が示されている。
【００２１】
図４の（Ａ）に示すように、ドア保護シート１００は断面コの字状に、ドアの厚さに合わせて折り曲げられ（加工され）て設置される。ドア保護シート１００は、樹脂の層１５０でコーティングされた表側が外側となる方向に折り曲げられる。
【００２２】
ドア保護シート１００の第２部分１３０には、説明図１０４として、図４の（Ａ）に示す図と同様の図が印刷されており、ユーザ２００は、説明図１０４を見ることで使用時の形状を容易に理解することができる。また、ドア保護シート１００の第２部分１３０には形状の説明文１０５も印刷されており、ユーザ２００は、説明文１０５を読むことで形状に関し、図のみでは解らない「ドアの厚みに合わせる」という点も理解することができる。
【００２３】
図４の（Ｂ）に示すように、ドア保護シート１００は、ドア２２０とトレーニング用具２１０のドアアンカー２１１との間に設置され、トレーニング用具２１０からドア２２０を保護する。ドア保護シート１００のトレーニング用具２１０と接する面が樹脂の層１５０でコーティングされていることにより、ドア保護シート１００の耐久性が向上する。
【００２４】
ドア保護シート１００の第２部分１３０には、説明図１０３として、図４の（Ｂ）に示す図と同様の図が印刷されており、ユーザ２００は、説明図１０３を見ながらドア２２０に対するドア保護シート１００の設置を行う。設置形態を図示した説明図１０３がドア保護シート１００に印刷されていることにより、ユーザ２００は、ドア保護シート１００から目を離すこと無く設置形態を確認することができるので設置が容易である。
図５は、ドア保護シートの折り曲げ手順を示す図である。
【００２５】
ドア保護シート１００はドア２２０の厚さに合わせて折り曲げられることが望ましい。折り曲げ手順としては、まず、図５の（Ａ）に示すように折り筋１１０に沿ってドア保護シート１００を折り、その折り目をドア２２０の縁に在る２本の稜線２２１，２２２のうち一方の稜線２２１に合わせる。このとき、ドア保護シート１００の第１部分１２０はドア２２０の表裏面に当て、第２部分１３０はドア２２０の側面に当てる。
次に、図５の（Ｂ）に示すように、ドア保護シート１００の第２部分１３０を、ドア２２０の他方の稜線２２２に合わせて折り曲げる。
【００２６】
ドア保護シート１００の第２部分１３０には、図５と同様な説明図１０６と、折り曲げ手順を説明する説明文１０７が印刷されているので、ユーザ２００は、ドア保護シート１００から目を離さずに折り曲げ手順を確認することができ、容易に折り曲げ加工を実行することができる。
【００２７】
また、ドア保護シート１００の図や文は、ドア保護シート１００の樹脂でコーティングされた表面側に印刷されているので、ユーザ２００は、ドア保護シート１００の表面側が外側となる折り曲げ方向を自然に選択することになる。
【００２８】
更に、ドア保護シート１００の図や文は、ドア保護シート１００が正しく設置された場合に天地が正しい方向となる向きで印刷されているので、ユーザ２００は正しい設置を容易に確認することができる。
図６は、本考案のドア保護シートの第２実施形態を示す図である。
第２実施形態のドア保護シート３００を説明するにあたり、第１実施形態のドア保護シート１００と同様の部分については説明を省略する。
【００２９】
第２実施形態のドア保護シート３００は、腹筋用具の使用時に用いられ、第１部分１２０には、第１実施形態とは異なる設置形態を図示した説明図３０１が印刷されている。
図７は、第２実施形態のドア保護シートの使用箇所を示す図である。
第２実施形態のドア保護シート３００は、腹筋用具２４０の使用時にドア２２０を保護するために使用される。
【００３０】
腹筋用具２４０は、使用時にユーザ２００が、ドアアンカー２１１をドア２２０の下部２５０に掛けて設置する。そして、ユーザ２００は腹筋用具２４０に足を掛けて腹筋運動を行う。この際にドア２２０の下部２５０と腹筋用具２４０との擦れ合いなどでドア２２０が損傷することを防ぐため、ドア２２０の下部２５０にドア保護シート３００が設置される。
【００３１】
第２実施形態のドア保護シート３００も、第１実施形態のドア保護シート１００と同様に、図５に示す折り曲げ手順で折られて、図４の（Ａ）に示す形状で使用される。
図８は、第２実施形態のドア保護シートの設置状態を示す図である。
【００３２】
第２実施形態のドア保護シート３００は、ドア２２０と腹筋用具２４０のドアアンカー（図示せず）との間に設置され、腹筋用具２４０からドア２２０を保護する。第２実施形態のドア保護シート３００に印刷された説明図３０１の向きは、ドア保護シート３００が設置された場合に天地が反対となる向きであるが、設置場所が床に近いため、ユーザ２００が頭を下向きにして作業する場合も多いので、説明図３０１を見ながら設置作業を行うのに適している。
【００３３】
なお、上記説明ではトレーニング用具の例として、ゴムチューブ式のトレーニング用具と腹筋用具が示されているが、本考案のドア保護シートは他のトレーニング用具に対して使用されてもよい。
【００３４】
また、上記説明では、ドア保護シートの好ましい構造として、紙の層と樹脂の層が重ね合わされた構造が例示されているが、本考案のドア保護シートは単層の紙シートであってもよいし、あるいは単層の樹脂シートであってもよい。
【００３５】
また、上記説明では、ドア保護シートの好ましい例として、表面に説明文や説明図が印刷されたドア保護シートが示されているが、本考案のドア保護シートは、説明文および説明図の一方あるいは両方の印刷が無いものでもよい。
【符号の説明】
【００３６】
１００，３００    ドア保護シート
１０１    名称
１０２，１０５，１０７    説明文
１０３，１０４，１０６    説明図
１１０    折り筋
１２０    第１部分
１３０    第２部分
１４０    紙の層
１５０    樹脂の層
２００    ユーザ
２１０    トレーニング用具
２１１    ドアアンカー
２２０    ドア
２４０    腹筋用具
【図１】
0003232976.tif 000003
【図２】
0003232976.tif 000004
【図３】
0003232976.tif 000005
【図４】
0003232976.tif 000006
【図５】
0003232976.tif 000007
【図６】
0003232976.tif 000008
【図７】
0003232976.tif 000009
【図８】
0003232976.tif 000010